(57)【要約】【課題】  防水性を確保して不用意な抜け出しを防ぐことができる防水キャップおよびそれを備えた電子機器を提供する。【解決手段】  機器ケース１の外面の装着凹部１３に配置されるキャップ本体１５と、このキャップ本体１５に機器ケース１の内部側に向けて突出して形成され、装着凹部１３内の貫通孔１４に挿入する挿入部１７と、この挿入部１７の外周部にその全周に亘って形成されて、貫通孔１４の内周面に圧接する防水突起１８と、キャップ本体１５および挿入部１７に埋め込まれて挿入部１７の中心部側への変形を規制する補強部材１９と、挿入部１７に形成されて貫通孔１４内の縁部に係脱可能に係合するフック部２０と、を備えている。従って、防水突起１８を補強部材１９によって貫通孔１４の内周面に確実に圧接させることができ、かつ貫通孔１４の縁部に対するフック部２０の係合によって挿入部１７の不用意な抜け出しを防ぐことができる。【選択図】        図４
2018049754.tif 000002
【特許請求の範囲】
【請求項１】
ケースの外面に設けられた装着凹部に挿脱可能に配置されるキャップ本体と、
前記キャップ本体に前記ケースの内部側に向けて突出して形成され、前記装着凹部内に前記ケースの内外に貫通して設けられた貫通孔に挿脱可能に挿入する弾力性を有する挿入部と、
前記挿入部の外周部にその全周に亘って形成され、前記ケースの前記貫通孔の内周面に圧接する防水突起と、
前記キャップ本体および前記挿入部に埋め込まれて前記挿入部の中心部側への変形を規制する補強部材と、
前記挿入部に前記ケースの内部側に向けて突出して形成され、前記挿入部が前記ケースの前記貫通孔に挿入された際に、前記ケースの内部側に位置する前記貫通孔内の縁部に係脱可能に係合するフック部と、
を備えていることを特徴とする防水キャップ。
【請求項２】
請求項１に記載の防水キャップにおいて、前記補強部材は、前記キャップ本体中に埋め込まされた平板部と、前記平板部の周縁部に設けられ、前記防水突起の全周に沿って前記挿入部中に埋め込まれた枠状部と、を備えていることを特徴とする防水キャップ。
【請求項３】
請求項１または請求項２に記載の防水キャップにおいて、前記フック部は、前記補強部材の前記枠状部に対してその中心部側に位置した状態で、前記挿入部に形成され、前記貫通孔内の前記縁部に形成された係止部間を通して前記ケースの内部に突出する枠状の弾性突出部と、前記ケースの内部側に位置する前記弾性突出部の周縁部に形成され、前記弾性突出部の周縁部が前記ケースの内部に突出した際に、前記貫通孔内の前記係止部に係合する係合部と、を備えていることを特徴とする防水キャップ。
【請求項４】
請求項１〜請求項３のいずれかに記載の防水キャップにおいて、前記キャップ本体にその側方に屈曲可能に延出されて前記ケースに固定され、屈曲変形に応じて前記キャップ本体を開閉動作させるアーム部を備えていることを特徴とする防水キャップ。
【請求項５】
請求項４に記載の防水キャップにおいて、前記フック部は、前記弾性突出部の外周面から突出する前記係合部の突出長さが、前記アーム部の固定箇所から離れるに従って次第に短く形成されていることを特徴とする防水キャップ。
【請求項６】
請求項１〜請求項５のいずれかに記載された防水キャップを備えていることを特徴とする電子機器。
【発明の詳細な説明】
【技術分野】
【０００１】
この発明は、携帯端末機、携帯電話機などの電子機器に用いられる防水キャップおよびそれを備えた電子機器に関する。
【背景技術】
【０００２】
例えば、電子機器の防水キャップにおいては、特許文献１に記載されているように、ゴムなどの弾力性を有するキャップ本体に固定部が設けられ、この固定部が機器ケースの固定孔に挿入して固定され、キャップ本体に設けられた装着部が機器ケースの挿入孔に挿入して装着されることにより、機器ケースの挿入孔を開閉可能に塞ぐように構成されたものが知られている。
【先行技術文献】
【特許文献】
【０００３】
【特許文献１】特開平１１−２６０４６０号公報
【０００４】
このような防水キャップは、キャップ本体の装着部が機器ケースの挿入孔と同じ形状の柱状に形成され、その柱状の装着部の中心部に変形穴をその軸方向に沿って設け、キャップ本体の装着部が機器ケースの挿入孔に挿入する際に、装着部の中心部に設けられた変形穴によって装着部を弾性変形させることにより、装着部の外周面を機器ケースの挿入孔の内周面に弾接させて機器ケースの挿入孔の防水を図るように構成されている。
【発明の概要】
【発明が解決しようとする課題】
【０００５】
しかしながら、このような電子機器の防水キャップでは、キャップ本体の装着部の外周面と機器ケースの挿入孔の内周面とが面接触する構成であるから、キャップ本体の装着部が均一に弾性変形しなければ、キャップ本体の装着部の外周面と機器ケースの挿入孔の内周面との間に隙間が生じてしまい、機器ケースの挿入孔の防水を確保することができないほか、キャップ本体の装着部が機器ケースの挿入孔から不用意に抜け出し易いという問題がある。
【０００６】
この発明が解決しようとする課題は、防水性を確保して不用意な抜け出しを防ぐことができる防水キャップおよびそれを備えた電子機器を提供することである。
【課題を解決するための手段】
【０００７】
この発明は、ケースの外面に設けられた装着凹部に挿脱可能に配置されるキャップ本体と、前記キャップ本体に前記ケースの内部側に向けて突出して形成され、前記装着凹部内に前記ケースの内外に貫通して設けられた貫通孔に挿脱可能に挿入する弾力性を有する挿入部と、前記挿入部の外周部にその全周に亘って形成され、前記ケースの前記貫通孔の内周面に圧接する防水突起と、前記キャップ本体および前記挿入部に埋め込まれて前記防水突起に対応する前記挿入部の中心部側への変形を規制する補強部材と、前記挿入部に前記ケースの内部側に向けて突出して形成され、前記挿入部が前記ケースの前記貫通孔に挿入された際に、前記ケースの内部側に位置する前記貫通孔内の縁部に係脱可能に係合するフック部と、を備えていることを特徴とする防水キャップである。
【発明の効果】
【０００８】
この発明によれば、キャップ本体の挿入部の外周部にその全周に亘って形成された防水突起を補強部材によってケースの貫通孔の内周面に確実に圧接させることができるので、防水性を確保することができると共に、貫通孔内の縁部にフック部を係合させることができるので、挿入部が貫通孔から不用意に抜け出さないようにすることができる。
【図面の簡単な説明】
【０００９】
【図１】この発明を携帯端末機に適用した一実施形態を示した正面図である。
【図２】図１に示された携帯端末機の側面図である。
【図３】図１に示された携帯端末機を裏面側から見た斜視図である。
【図４】図２に示された携帯端末機のＡ−Ａ矢視における拡大断面図である。
【図５】図４に示された携帯端末機の防水キャップを引き出して機器ケースの装着孔を開放させた状態を示した拡大断面図である。
【図６】図４に示された防水キャップを示し、（ａ）はその防水キャップを機器ケースの内部から見た拡大斜視図、（ｂ）はその拡大平面図である。
【発明を実施するための形態】
【００１０】
以下、図１〜図６を参照して、この発明を携帯端末機に適用した一実施形態について説明する。
この携帯端末機は、図１〜図３に示すように、機器ケース１を備えている。この機器ケース１は、上部ケース２と下部ケース３とで構成されている。上部ケース２には、表示部４と入力部５とが設けられている。下部ケース３には、読取装置６と電池蓋７とが設けられている。
【００１１】
この場合、機器ケース１は、図１〜図３に示すように、上部ケース２の表示部４側およびこれに対応する下部ケース３の読取装置６側に位置する先端部側（図１では上辺部側）が前後方向（図１では上下方向）に長い長方形状の本体部１ａに形成され、上部ケース２の入力部５側およびこれに対応する下部ケース３の電池蓋７側に位置する手前部側（図１では下辺部側）が前後方向に長い長方形状の握り部１ｂに形成されている。
【００１２】
すなわち、この機器ケース１は、図１〜図３に示すように、握り部１ｂにおける機器ケース１の長手方向と直交する方向の長さ（幅）が、本体部１ａにおける機器ケース１の長手方向と直交する方向の長さ（幅）よりも短く形成されている。これにより、機器ケース１は、全体がほぼ羽子板形状に形成されている。つまり、この機器ケース１は、本体部１ａにおける上面の面積が握り部１ｂにおける上面の面積よりも広く形成され、かつ握り部１ｂが握り易い形状に形成されている。
【００１３】
表示部４は、図１に示すように、液晶表示パネル、ＥＬ（エレクトロ・ルミネッセンス）表示パネルなどの平面型の表示パネルを備え、この表示パネルに情報を電気光学的に表示するように構成されている。すなわち、この表示部４は、機器ケース１の本体部１ａに対応する上部ケース２の箇所に設けられた表示開口部２ａに対した状態で、上部ケース２の内部に配置されている。
【００１４】
これにより、この表示部４は、図１に示すように、表示した情報が表示開口部２ａを通して上部ケース２の外部から見えるように構成されている。この場合、表示部４の上辺側に位置する上部ケース２の上辺部には、スピーカ８とインジケータ用の複数の発光素子（ＬＥＤ）９とが設けられている。
【００１５】
入力部５は、図１に示すように、テンキー、演算キー、カーソルキー、決定キー、電源キーなどの各種のキー５ａを備え、これらが握り部１ｂ側に位置する上部ケース２に配列されている。この入力部５は、各種のキー５ａを操作することにより、情報を入力するように構成されている。この場合、入力部５の上辺部には、センタートリガーキー５ｂが設けられている。また、機器ケース１の両側面には、図２および図３に示すように、サイドトリガーキー５ｃがそれぞれ設けられている。
【００１６】
読取装置６は、図２および図３に示すように、機器ケース１の本体部１ａに対応する下部ケース３の裏面（図３では表面）に設けられている。この読取装置６は、ユニットケース８を備え、このユニットケース８の内部に読取部と撮影部（いずれも図示せず）とが設けられた構成になっている。この場合、ユニットケース８は、下部ケース３の裏面（図３では表面）に複数のビス８ａによって着脱可能に取り付けられるように構成されている。
【００１７】
読取部は、スキャナであり、レーザ光線などの光線を被読取物（図示せず）に照射し、その反射光を受光することにより、被読取物のコード情報を読み取るように構成されている。撮影部は、撮像素子を備えたカメラであり、読取部で読み取る被読取物を画像として撮影するように構成されている。
【００１８】
この読取装置６は、図２および図３に示すように、読取部で読み取った被読取物のコード情報が表示部４に表示されると共に、撮影部で撮影した被読取物の画像が表示部４に表示されることにより、表示部４に表示された被読取物のコード情報および被読取物の画像を見ながら、読取部による読取操作と撮影部による撮影操作とが同時に行われるように構成されている。
【００１９】
ユニットケース８は、図２および図３に示すように、四角形状の平板を機器ケース１の長手方向に沿って緩やかに傾斜する山形状に突出させて形成されている。このユニットケース８には、読取部に対応する読取窓部９ａと、撮影部に対応する撮影窓部９ｂと、が設けられている。これら読取部と撮影部とは、読取部による光線の照射方向Ｓ１と撮影部による撮影方向Ｓ２とが同一方向に設定されている。
【００２０】
この場合、読取部と撮影部とは、図２に示すように、読取部による光線の照射方向Ｓ１と撮影部による撮影方向Ｓ２とが、機器ケース１の裏面に対して所定角度θで傾いた状態で、ユニットケース８内に配置されている。すなわち、読取部による光線の照射方向Ｓ１と撮影部による撮影方向Ｓ２とは、下部ケース３の裏面に対して握り部１ｂと反対側に位置する下部ケース３の先端側に向けて、４０°〜８０°の角度範囲で、好ましくは６０°の角度で傾いていることが望ましい。
【００２１】
電池蓋７は、図２および図３に示すように、入力部５の裏面側に対応する下部ケース３の裏面側（図３では表面側）にビス７ａによって着脱可能に取り付けられるように構成されている。すなわち、この電池蓋７は、断面が半円形の逆樋状に形成され、裏面側が凸になる状態で、下部ケース３内に設けられて電池を収納するための電池収納部（いずれも図示せず）を覆って塞ぐことにより、握り部１ｂが握り易い形状になるように構成されている。
【００２２】
ところで、機器ケース１の側面には、図２に示すように、防水キャップ１０が取り付けられている。この防水キャップ１０は、図４〜図６に示すように、機器ケース１内の回路基板１１に設けられたＵＳＢコネクタなどのコネクタ１２を開閉可能に覆って塞ぐように構成されている。この場合、機器ケース１の側面には、防水キャップ１０が配置される装着凹部１３が設けられている。
【００２３】
この装着凹部１３は、図２、図４および図５に示すように、機器ケース１の長手方向に細長い長方形状に形成されている。この装着凹部１３内には、貫通孔１４がコネクタ１２に対応した状態で内外に貫通して設けられている。この貫通孔１４は、その内形がほぼ長方形状に形成されている。この貫通孔１４の内周面における機器ケース１の内部側に位置する縁部には、係止部１４ａが貫通孔１４の中心部側に向けて鍔状に突出して設けられている。
【００２４】
防水キャップ１０は、図４〜図６に示すように、機器ケース１の装着凹部１３内に配置されるキャップ本体１５とアーム部１６とを備え、これらがシリコーンゴム、エラストマーなどの弾力性を有する合成樹脂によって一体に形成されている。この防水キャップ１０は、図２に示すように、機器ケース１の装着凹部１３とほぼ同じ大きさに形成されている。
【００２５】
すなわち、この防水キャップ１０は、図２および図４に示すように、キャップ本体１５とアーム部１６とにおける機器ケースの長手方向の長さが、機器ケース１の装着凹部１３の長手方向の長さよりも少し短い長さで、かつ長手方向と直交する方向の長さが、装着凹部１３の長手方向と直交する方向の長さとほぼ同じ長さに形成されている。
【００２６】
これにより、防水キャップ１０は、図２および図４に示すように、キャップ本体１５とアーム部１６とが機器ケース１の装着凹部１３内に配置された際に、アーム部１６と反対側に位置するキャップ本体１５の端部とこれに対応する装着凹部１３の内端面との間に隙間が設けられ、この隙間に指や工具を挿入させてキャップ本体１５を装着凹部１３内から引き出せるように構成されている。
【００２７】
このため、キャップ本体１５は、図４〜図６に示すように、装着凹部１３内に挿脱可能に配置されるように構成されている。このキャップ本体１５には、機器ケース１の装着凹部１３内に機器ケース１の内外に貫通して設けられた貫通孔１４に挿脱可能に挿入する挿入部１７と、この挿入部１７の外周面に設けられて貫通孔１４の内周面に圧接する防水突起１８と、キャップ本体１５および挿入部１７に埋め込まれて挿入部１７の中心部側への変形を抑える補強部材１９と、が設けられている。
【００２８】
挿入部１７は、図４〜図６に示すように、キャップ本体１５と同じシリコーンゴム、エラストマーなどの弾力性を有する合成樹脂によって、キャップ本体１５に機器ケース１の内部側に向けて突出した状態で一体に形成されている。この挿入部１７は、その外形が機器ケース１の貫通孔１４の内形よりも少し小さく、かつ貫通孔１４の係止部１４ａの内形よりも大きいほぼ長方形状で、機器ケース１の内部側に向けて突出して形成されている。
【００２９】
すなわち、この挿入部１７は、図４〜図６に示すように、機器ケース１の内部側に向けて突出する突出長さが、機器ケース１の外部側に位置する貫通孔１４の端部から鍔状の係止部１４ａまでの長さに形成されている。これにより、挿入部１７は、キャップ本体１５が機器ケース１の装着凹部１３内に配置された状態で、装着凹部１３から貫通孔１４内に挿入された際に、機器ケース１の内部側に位置する挿入部１７の端部が貫通孔１４の係止部１４ａに当接した状態で、貫通孔１４内に配置されるように構成されている。
【００３０】
防水突起１８は、図４〜図６に示すように、断面が半円形状に形成され、キャップ本体１５の挿入部１７の外周面から突出した状態で、挿入部１７の外周面にその全周に亘って環状に形成されている。この防水突起１８は、キャップ本体１５および挿入部１７と同じシリコーンゴム、エラストマーなどの弾力性を有する合成樹脂によって、挿入部１７と一体に形成されている。
【００３１】
これにより、防水突起１８は、図４〜図６に示すように、挿入孔１７が機器ケース１の貫通孔１４内に挿入された際に、防水突起１８の外周端部が貫通孔１４の内周面にその全周に亘って弾力的に圧接するよう構成されている。
【００３２】
補強部材１９は、図４および図５に示すように、金属板１９ａと、この金属板１９ａの周縁部に設けられた金属製の枠状部１９ｂと、を備え、これらがキャップ本体１５および挿入部１７に埋め込まれている。すなわち、この補強部材１９は、金属板１９ａがキャップ本体１５中に埋め込まれ、枠状部１９ｂが防水突起１８に対応する状態で、挿入部１７中に埋め込まれるように構成されている。この場合、枠状部１９ｂは、機器ケース１の内部側に位置する端部が防水突起１８のほぼ中心部に対応する状態で、挿入部１７中に埋め込まれている。
【００３３】
これにより、補強部材１９は、図４および図５に示すように、キャップ本体１５の挿入部１７が機器ケース１の貫通孔１４内に挿入されて、防水突起１８の外周端部が貫通孔１４の内周面に圧接する際に、防水突起１８に対応する挿入部１７がその中心部側に向けて変形するのを規制するように構成されている。このため、補強部材１９は、防水突起１８を貫通孔１４の内周面に強く押し付けるように構成されている。
【００３４】
また、このキャップ本体１５の挿入部１７には、図４〜図６に示すように、キャップ本体１５の挿入部１７が機器ケース１の貫通孔１４に挿入された際に、機器ケース１の内部側に位置する貫通孔１４内の縁部に形成された係止部１４ａに係脱可能に係合するフック部２０が設けられている。このフック部２０は、キャップ本体１５および挿入部１７と同じシリコーンゴム、エラストマーなどの弾力性を有する合成樹脂によって挿入部１７と一体に形成されている。
【００３５】
このフック部２０は、図４および図５に示すように、キャップ本体１５の挿入部１７に形成されて貫通孔１４内の係止部１４ａ間を通して機器ケース１の内部に向けて突出する枠状の弾性突出部２１と、この弾性突出部２１の周縁部に形成され、弾性突出部２１の周縁部が貫通孔１４内の係止部１４ａ間を通して機器ケース１の内部に突出した際に、貫通孔１４内の係止部１４ａに係合する係合部２２と、を備えている。
【００３６】
すなわち、この弾性突出部２１は、図４および図５に示すように、補強部材１９の枠状部１９ｂに対してその中心部側に位置して、機器ケース１の内部側に開放された状態で、挿入部１７に枠状に突出して形成されている。これにより、弾性突出部２１は、補強部材１９の枠状部１９ｂの影響を受けずに、その中心部側に向けて弾性変形するように構成されている。
【００３７】
この場合、弾性突出部２１は、図４および図５に示すように、その外形がキャップ本体１５の挿入部１７の外形よりも小さく、かつ補強部材１９の枠状部１９ｂの内形よりも小さい大きさで、機器ケース１の貫通孔１４の係止部１４ａの内形とほぼ同じ大きさに形成されている。また、この弾性突出部２１は、機器ケース１の内部側に突出する突出長さが、貫通孔１４の係止部１４ａの厚みよりも長く形成されている。
【００３８】
これにより、弾性突出部２１は、図４および図５に示すように、キャップ本体１５の挿入部１７が機器ケース１の装着凹部１３から貫通孔１４内に挿入されて、機器ケース１の内部側に位置する挿入部１７の端部が貫通孔１４の係止部１４ａに当接した際に、貫通孔１４の係止部１４ａ間を通して、弾性突出部２１の周縁部が機器ケース１内に突出し、この突出した弾性突出部２１の枠状内に回路基板１１のコネクタ１２の先端部が挿入するように構成されている。
【００３９】
係合部２２は、図４および図５に示すように、機器ケース１の内部側に位置する弾性突出部２１の周縁部に、その外周面から突出して形成されている。すなわち、この係合部２２は、キャップ本体１５の挿入部１７が機器ケース１の装着凹部１３から貫通孔１４内に挿入されて、弾性突出部２１が貫通孔１４の係止部１４ａ間を通過する際に、枠状の弾性突出部２１をその内部側に向けて弾性変形させるよう構成されている。
【００４０】
また、この係合部２２は、図４および図５に示すように、弾性突出部２１が貫通孔１４の係止部１４ａ間を通過して、機器ケース１内に突出した際に、貫通孔１４の係止部１４ａの内周部に係脱可能に係合するように構成されている。これにより、係合部２２は、貫通孔１４の係止部１４ａに係合した際に、キャップ本体１５の挿入部１７が貫通孔１４内から不用意に抜け出さないように構成されている。
【００４１】
一方、アーム部１６は、図４〜図６に示すように、キャップ本体１５から側方（図４では上部側）に延出された状態でキャップ本体１５に一体に形成され、この延出された端部がビス２３によって機器ケース１の装着凹部１３内に取り付けられるように構成されている。
【００４２】
この場合、ビス２３は、図４および図５に示すように、頭部２３ａとねじ部２３ｂとを有し、このねじ部２３ｂがアーム部１６の端部に埋め込まれたワッシャ２４を通して機器ケース１内に埋め込まれたねじパイプ２５に螺合することにより、頭部２３ａがワッシャ２４を介してアーム部１６の端部を装着凹部１３内に押え付けて固定するように構成されている。
【００４３】
アーム部１６は、図４および図５に示すように、キャップ本体１５と同じシリコーンゴム、エラストマーなどの弾力性を有する合成樹脂によって、キャップ本体１５と一体に形成されていることにより、ビス２３によって固定された端部とキャップ本体１５との間が屈曲するように形成されている。これにより、キャップ本体１５は、ビス２３を支点としてアーム部１６が屈曲変形した際に、機器ケース１の装着凹部１３内に挿脱可能に配置されることにより、貫通孔１４を開閉可能に塞ぐように構成されている。
【００４４】
すなわち、キャップ本体１５は、図４および図５に示すように、アーム部１６が屈曲変形して機器ケース１の装着凹部１３内に配置された際に、挿入部１７が装着凹部１３の貫通孔１４に挿入して貫通孔１４を塞ぎ、弾性突出部２１の係合部２２が貫通孔１４の係止部１４ａに係合するように構成されている。
【００４５】
また、このキャップ本体１５は、図４および図５に示すように、ビス２３を支点としてアーム部１６が湾曲状に屈曲変形して、機器ケース１の装着凹部１３内から機器ケース１の外部に引き出された際に、貫通孔１４の係止部１４ａに対するフック部２０の係合部２２による係合が解除されて、挿入部１７が装着凹部１３の貫通孔１４から機器ケース１の外部に引き出され、貫通孔１４を開放させて、機器ケース１内のコネクタ１２を露出させるように構成されている。
【００４６】
この場合、フック部２０の係合部２２は、図６（ａ）および図６（ｂ）に示すように、弾性突出部２１の外周面からの突出長さが、アーム部１６の支点であるビス２３から離れるに従って次第に短くなるように形成されている。すなわち、この係合部２２は、ビス２３に近い箇所の突出長さが長く、ビス２３から離れるに従って次第に突出長さが短く、かつビス２３から最も離れた箇所が傾斜状に切欠かれた形状に形成されている。
【００４７】
これにより、係合部２２は、図４および図５に示すように、キャップ本体１５がアーム部１６を中心に回転して弾性突出部２１が貫通孔１４の係止部１４ａ内に挿入する際に、突出長さの長い箇所から短い箇所に向けて順次、貫通孔１４の係止部１４ａに係合することにより、貫通孔１４の係止部１４ａの内周部に係合し易くなるように構成されている。
【００４８】
このような防水キャップ１０は、図４および図５に示すように、キャップ本体１５、アーム部１６、挿入部１７、防水突起１８、およびフック部２０のすべてが、シリコーンゴム、エラストマーなどの弾力性を有する合成樹脂によって一体に形成されていると共に、補強部材１９がインサート成型によってキャップ本体１５と挿入部１７との内部に埋め込まれた構成になっている。
【００４９】
次に、このような携帯端末機の作用について説明する。
この携帯端末機を使用する場合には、まず、機器ケース１の上部ケース２を上に向けて、機器ケース１の握り部１ｂをオペレータが手で握る。この状態では、上部ケース２の表示部４と入力部５とが上を向くので、入力部５の各種のキー５ａを操作して商品やその在庫などの情報を入力することができ、その入力された情報が表示部４に表示される。
【００５０】
また、読取装置６で商品に張られたラベルなどの被読取物のコード情報およびその画像を取り込む場合には、ユニットケース１０に設けられた読取窓部１９ａと撮影窓部１９ｂとを被読取物に向けて、入力部５の上辺部に設けられたセンタートリガーキー５ｂと機器ケース１の両側部に設けられたサイドトリガーキー５ｃとのいずれかを操作する。すると、読取装置６の読取部が被読取物のコード情報を読み取ると共に、これと同時に撮影部が被読取物を画像として撮影する。
【００５１】
このようにして、読取装置６が取り込んだ被読取物のコード情報とその画像とは、表示部４に表示される。このため、表示部４に表示された被読取物のコード情報とその画像とをオペレータが見ながら、入力部５の決定キー５ａを操作することにより、表示部４に表示された被読取物のコード情報とその画像とが記憶される。
【００５２】
また、この携帯端末機を外部機器（図示せず）と接続する場合には、機器ケース１の側部に設けられた防水キャップ１０のキャップ本体１５を開いて、機器ケース１の貫通孔を開放させ、機器ケース１内のコネクタ１２を機器ケース１の外部に露出させて、この露出したコネクタ１２に外部機器の接続ケーブル（図示せず）を接続させる。
【００５３】
この場合には、アーム部１６を機器ケース１に固定するビス２３を支点として、アーム部１６を湾曲状に屈曲させてキャップ本体１５を機器ケース１の外部側に向けて回転させる。すると、フック部２０の係合部２２がフック部２０の弾性突出部２１をその内部側に向けて弾性変形させて貫通孔１４の係止部１４ａから離脱し、フック部２０のが貫通孔１４の係止部１４ａ間を通して機器ケース１の外部に向けて引き出される。
【００５４】
このときには、キャップ本体１５がビス２３から離れるに従ってキャップ本体１５の回転移動長さが次第に長くなるため、貫通孔１４の係止部１４ａに対するフック部２０の係合部２２による係合が、アーム部１６の支点であるビス２３から遠い箇所から近い箇所に向けて徐々に解除される。
【００５５】
この場合、フック部２０の係合部２２は、弾性突出部２１の外周面から突出する突出長さが、アーム部１６の支点であるビス２３から離れるに従って次第に短く形成されている。このため、係合部２２の突出長さの短い箇所つまり傾斜状に切欠かれた箇所から係合部２２の突出長さの長い箇所に向けて、貫通孔１４の係止部１４ａに対する係合部２２の係合が徐々に解除されるので、貫通孔１４の係止部１４ａに対する係合部２２の係合が円滑にかつ容易に解除される。
【００５６】
すなわち、係合部２２の突出長さの短い箇所つまり傾斜状に切欠かれた箇所が貫通孔１４の係止部１４ａから離脱する際には、弾性突出部２１をその内部側に向けてほとんど弾性変形させずに、係合部２２による係合が解除される。また、係合部２２の突出長さが徐々に長くなる箇所が貫通孔１４の係止部１４ａから離脱する際には、弾性突出部２１がその内部側に弾性変形する変形量を徐々に大きくすることにより、係合部２２による係合が円滑にかつ容易に解除される。
【００５７】
これにより、フック部２０が貫通孔１４の係止部１４ａから離脱して機器ケース１の外部に向けて引き出されると共に、キャップ本体１５の挿入部１７がその外周面に設けられた防水突起１８と共に機器ケース１の貫通孔１４内から引き出される。この結果、機器ケース１の貫通孔１４が開放され、機器ケース１内に設けられたコネクタ１２が貫通孔１４から機器ケース１の外部に露出する。
【００５８】
一方、装着凹部１３の貫通孔１４を防水キャップ１０で塞ぐ際には、アーム部１６を機器ケース１に固定するビス２３を支点として、アーム部１６を屈曲させてキャップ本体１５を機器ケース１の内部側に向けて回転させる。すると、フック部２０の弾性突出部２１が機器ケース１の貫通孔１４に挿入して貫通孔１４の係止部１４ａ間を通して機器ケース１の内部に向けて押し込まれると共に、キャップ本体１５の挿入部１７が貫通孔１４に挿入する。
【００５９】
このときには、挿入部１７の外周面に設けられた防水突起１８が貫通孔１４の内周面に弾力的に圧接し、かつ機器ケース１の内部側に位置する挿入部１７の周縁部が貫通孔１４の係止部１４ａに弾接し、この状態で挿入部１７が貫通孔１４内に挿入される。これにより、キャップ本体１５が機器ケース１の装着凹部１３内に配置される。
【００６０】
すなわち、防水突起１８が貫通孔１４の内周面に弾力的に圧接する際には、キャップ本体１５および挿入部１７に埋め込まれた補強部材１９によって、挿入部１７がその中心部に向けて変形しないように規制されている。このため、防水突起１８が挿入部１７と共に貫通孔１４内に挿入する際には、防水突起１８が補強部材１９によって貫通孔１４の内周面に確実に押し付けられて圧接される。
【００６１】
また、このときには、キャップ本体１５がビス２３から離れるに従ってキャップ本体１５の回転移動長さが次第に長くなるため、貫通孔１４の係止部１４ａに対してフック部２０の係合部２２が、アーム部１６の支点であるビス２３から近い箇所から遠い箇所に向けて徐々に係合される。
【００６２】
この場合、フック部２０の係合部２２は、弾性突出部２１の外周面からの突出長さがアーム部１６の支点であるビス２３から離れるに従って次第に短く形成されている。このため、係合部２２の突出長さの長い箇所から係合部２２の突出長さの短い箇所に向けて、係合部２２が貫通孔１４の係止部１４ａに徐々に係合するので、係合部２２が貫通孔１４の係止部１４ａに円滑にかつ容易に係合する。
【００６３】
すなわち、フック部２０は、係合部２２の突出長さの長い箇所の係合部２２が貫通孔１４の係止部１４ａに係合する際に、弾性突出部２１をその内部側に向けて大きく弾性変形させて、係合部２２が貫通孔１４の係止部１４ａに係合する。また、このフック部２０は、係合部２２の突出長さが徐々に短くなる箇所の係合部２２が貫通孔１４の係止部１４ａに係合する際に、弾性突出部２１の内部側への弾性変形を徐々に小さくすることにより、係合部２２が貫通孔１４の係止部１４ａに円滑にかつ容易に係合する。
【００６４】
これにより、フック部２０の弾性突出部２１が機器ケース１の内部に突出し、この突出した弾性突出部２１の枠状内に機器ケース１内のコネクタ１２の先端部が十分な隙間をもって接触することなく挿入される。この状態では、キャップ本体１５の挿入部１７が貫通孔１４を確実に塞ぎ、キャップ本体１５とアーム部１６とが機器ケース１の装着凹部１３内に配置される。
【００６５】
この場合には、挿入部１７の外周面に設けられた防水突起１８が補強部材１９によって貫通孔１４の内周面に弾力的に圧接されていることにより、貫通孔１４の防水性が確保される。また、この場合には、機器ケース１内のコネクタ１２の先端部が弾性突出部２１内に隙間を有して接触することなく挿入されていることにより、防水キャップ１０が外部から衝撃を受けても、防水キャップ１０によってコネクタ１２を確実にかつ良好に保護することができる。
【００６６】
このように、この携帯端末機の防水キャップ１０によれば、機器ケース１の装着凹部１３に配置されるキャップ本体１５と、このキャップ本体１５に機器ケース１の内部側に向けて突出して形成され、装着凹部１３内の貫通孔１４に挿脱可能に挿入する弾力性を有する挿入部１７と、この挿入部１７の外周部にその全周に亘って形成されて機器ケース１の貫通孔１４の内周面に圧接する防水突起１８と、キャップ本体１５および挿入部１７に埋め込まれて挿入部１７の中心部側への変形を規制する補強部材１９と、挿入部１７に機器ケース１の内部側に向けて突出して形成され、挿入部１７が機器ケース１の貫通孔１４に挿入された際に、貫通孔１４内の縁部に係脱可能に係合するフック部２０と、を備えていることにより、防水性を確保して不用意な抜け出しを防ぐことができる。
【００６７】
すなわち、この携帯端末機の防水キャップ１０では、キャップ本体１５および挿入部１７に埋め込まれた補強部材１９によって、防水突起１８に対応する挿入部１７の中心部側への変形を規制することができるので、弾力性を有する挿入部１７を機器ケース１の貫通孔１４に挿入させた際に、挿入部１７の外周部に形成された防水突起１８を補強部材１９によって機器ケース１の貫通孔１４の内周面に確実に圧接させることができ、これにより機器ケース１の貫通孔１４に対する防水性を確保することができる。
【００６８】
この場合、防水突起１８は、挿入部１７の外周部にその全周に亘って形成されているので、挿入部１７を機器ケース１の貫通孔１４に挿入させた際に、防水突起１８を補強部材１９によって機器ケース１の貫通孔１４の内周面における全周に亘って確実に押し付けて圧接させることができ、これにより機器ケース１の貫通孔１４における防水を確実に図ることができる。
【００６９】
また、この防水キャップ１０では、キャップ本体１５の挿入部１７に形成され、挿入部１７が機器ケース１の貫通孔１４に挿入された際に、機器ケース１の内部側に位置する貫通孔１４内の縁部に係脱可能に係合するフック部２０を備えていることにより、挿入部１７が機器ケース１の貫通孔１４に挿入された際に、フック部２０を貫通孔１４内の縁部に係合させることができるので、挿入部１７が機器ケース１の貫通孔１４から不用意に抜け出さないようにすることができる。
【００７０】
この場合、補強部材１９は、キャップ本体１５中に埋め込まされた平板状の金属板１９ａと、この金属板１９の周縁部に設けられて防水突起１８の全周に沿って挿入部１７中に埋め込まれた金属製の枠状部１９ｂと、を備えていることにより、キャップ本体１５と挿入部１７との変形を確実に抑えることができる。
【００７１】
この場合、枠状部１９ｂは、機器ケース１側に位置する端部が防水突起１８のほぼ中心部に対応していることにより、防水突起１８に対応する挿入部１７の中心部側への変形を確実に抑えて、防水突起１８を貫通孔１４の内周面に確実にかつ良好に押し付けることができる。
【００７２】
また、フック部２０は、補強部材１９の枠状部１９ｂに対してその中心部側に位置した状態で、挿入部１７に形成され、貫通孔１４内の係止部１４ａ間を通して機器ケース１の内部に突出する枠状の弾性突出部２１と、機器ケース１の内部側に位置する弾性突出部２１の周縁部に形成され、弾性突出部２１の周縁部が貫通孔１４内の係止部１４ａ間を通して機器ケース１の内部に突出した際に、貫通孔１４内の縁部に形成された係止部１４ａに係合する係合部２２と、を備えていることにより、係合部２２を貫通孔１４内の係止部１４ａに確実にかつ良好に係合させることができる。
【００７３】
これにより、このフック部２０では、挿入部１７が機器ケース１の貫通孔１４に挿入された際に、機器ケースの内部側に位置する弾性突出部２１の周縁部を機器ケース１の内部に突出させることができるので、係合部２２を貫通孔１４の係止部１４ａに確実に係合させることができる。このため、この防水キャップ１０では、貫通孔１４の係止部１４ａに対するフック部２０の係合部２２による係合力によって、挿入部１７が機器ケース１の貫通孔１４から不用意に抜け出さないようにすることができる。
【００７４】
すなわち、このフック部２０は、係合部２２が機器ケース１の内部側に位置する弾性突出部２１の周縁部にその外周側に突出して形成され、機器ケース１の貫通孔１４を通して機器ケース１の内部に突出する際に、弾性突出部２１をその内部側に向けて弾性変形させることができるので、機器ケース１の内部側に位置する弾性突出部２１の周縁部を機器ケース１の内部に容易に突出させて、係合部２２を貫通孔１４の係止部１４ａに確実にかつ良好に係合させることができる。
【００７５】
この場合、弾性突出部２１は、挿入部１７における補強部材１９の枠状部１９ｂに対しその中心部側に位置して形成されていることにより、係合部２２が機器ケース１の貫通孔１４内の係止部１４ａ間を通して機器ケース１の内部に突出する際に、補強部材１９の枠状部１９ｂの影響を受けずに、枠状の弾性突出部２１をその内部側に向けて確実にかつ良好に弾性変形させることができ、これによっても係合部２２を貫通孔１４の係止部１４ａに確実にかつ良好に係合させることができる。
【００７６】
また、この防水キャップ１０では、キャップ本体１５にその側方に屈曲可能に延出されて機器ケース１に固定され、屈曲変形に応じてキャップ本体１５を開閉動作させるアーム部１６を備えていることにより、アーム部１６を屈曲させてキャップ本体１５を回転移動させることができ、これにより機器ケース１の貫通孔１４を簡単にかつ容易に開閉することができる。
【００７７】
すなわち、アーム部１６は、その端部がビス２３によって機器ケース１に固定され、このビス２３を支点してアーム部１６を容易に屈曲させることができるので、アーム部１６の屈曲変形に応じてキャップ本体１５を回転移動させて、機器ケース１の貫通孔１４を確実にかつ良好に開閉させることができる。
【００７８】
この場合、フック部２０は、弾性突出部２１の外周面から突出する係合部２２の突出長さが、アーム部１６の固定箇所から離れるに従って次第に短く形成されていることにより、キャップ本体１５がアーム部１６の固定箇所であるビス２３から離れるに従ってキャップ本体１５の回転移動長さが次第に長くなっても、貫通孔１４に対してフック部２０の係合部２２を、アーム部１６の支点であるビス２３に近い箇所から遠い箇所に向けて徐々に係合させることができる。
【００７９】
すなわち、フック部２０は、弾性突出部２１の外周面から突出する係合部２２の突出長さが、アーム部１６の支点であるビス２３から離れるに従って次第に短く形成されているため、係合部２２の突出長さの長い箇所から係合部２２の突出長さの短い箇所に向けて係合部２２を貫通孔１４の係止部１４ａに徐々に係合させることができるので、係合部２２を貫通孔１４の係止部１４ａに円滑にかつ容易に係合させることができる。
【００８０】
この場合、フック部２０は、突出長さの長い箇所の係合部２２が貫通孔１４の係止部１４ａに係合する際に、弾性突出部２１をその内部側に向けて大きく弾性変形させて、係合部２２を貫通孔１４の係止部１４ａに良好に係合させることができる。また、このフック部２０は、突出長さが徐々に短くなる箇所の係合部２２が貫通孔１４の係止部１４ａに係合する際に、弾性突出部２１の内部側への弾性変形を徐々に小さくさせて、係合部２２を貫通孔１４の係止部１４ａに円滑にかつ容易に係合させることができる。
【００８１】
さらに、この防水キャップ１０では、キャップ本体１５、アーム部１６、挿入部１７、防水突起１８、およびフック部２０のすべてが、シリコーンゴム、エラストマーなどの弾力性を有する合成樹脂によって一体に形成されていることにより、簡単にかつ容易に製作することができ、これにより低価格化を図ることができる。この場合、補強部材１９をインサート成型によってキャップ本体１５および挿入部１７内に簡単に埋め込むことができるので、これによっても低価格化を図ることができる。
【００８２】
なお、上述した実施形態では、機器ケース１内にＵＳＢコネクタなどのコネクタ１２を貫通孔１４に対応させて設けた場合について述べたが、この発明は必ずしもコネクタ１２である必要はなく、例えばイヤホーンジャックや電源ジャックなどのジャックであっても良い。
【００８３】
また、上述した実施形態では、携帯端末機に適用した場合について述べたが、この発明は必ずしも携帯端末機である必要はなく、例えば携帯電話機などの電子機器に適用することができる。
【００８４】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００８５】
（付記）
請求項１に記載の発明は、ケースの外面に設けられた装着凹部に挿脱可能に配置されるキャップ本体と、前記キャップ本体に前記ケースの内部側に向けて突出して形成され、前記装着凹部内に前記ケースの内外に貫通して設けられた貫通孔に挿脱可能に挿入する弾力性を有する挿入部と、前記挿入部の外周部にその全周に亘って形成され、前記ケースの前記貫通孔の内周面に圧接する防水突起と、前記キャップ本体および前記挿入部に埋め込まれて前記挿入部の中心部側への変形を規制する補強部材と、前記挿入部に前記ケースの内部側に向けて突出して形成され、前記挿入部が前記ケースの前記貫通孔に挿入された際に、前記ケースの内部側に位置する前記貫通孔内の縁部に係脱可能に係合するフック部と、を備えていることを特徴とする防水キャップである。
【００８６】
請求項２に記載の発明は、請求項１に記載の防水キャップにおいて、前記補強部材は、前記キャップ本体中に埋め込まされた平板部と、前記平板部の周縁部に設けられ、前記防水突起の全周に沿って前記挿入部中に埋め込まれた枠状部と、を備えていることを特徴とする防水キャップである。
【００８７】
請求項３に記載の発明は、請求項１または請求項２に記載の防水キャップにおいて、前記フック部は、前記補強部材の前記枠状部に対してその中心部側に位置した状態で、前記挿入部に形成され、前記貫通孔内の前記縁部に形成された係止部間を通して前記ケースの内部に突出する枠状の弾性突出部と、前記ケースの内部側に位置する前記弾性突出部の周縁部に形成され、前記弾性突出部の周縁部が前記ケースの内部に突出した際に、前記貫通孔内の前記係止部に係合する係合部と、を備えていることを特徴とする防水キャップである。
【００８８】
請求項４に記載の発明は、請求項１〜請求項３のいずれかに記載の防水キャップにおいて、前記キャップ本体にその側方に屈曲可能に延出されて前記ケースに固定され、屈曲変形に応じて前記キャップ本体を開閉動作させるアーム部を備えていることを特徴とする防水キャップである。
【００８９】
請求項５に記載の発明は、請求項４に記載の防水キャップにおいて、前記フック部は、前記弾性突出部の外周面から突出する前記係合部の突出長さが、前記アーム部の固定箇所から離れるに従って次第に短く形成されていることを特徴とする防水キャップである。
【００９０】
請求項６に記載の発明は、請求項１〜請求項５のいずれかに記載された防水キャップを備えていることを特徴とする電子機器である。
【符号の説明】
【００９１】
１  機器ケース
２  上部ケース
３  下部ケース
１０  防水キャップ
１１  回路基板
１２  コネクタ
１３  装着凹部
１４  貫通孔
１４ａ  係止部
１５  キャップ本体
１６  アーム部
１７  挿入部
１８  防水突起
１９  補強部材
２０  フック部
２１  弾性突出部
２２  係合部
２３  ビス
【図１】
2018049754.tif 000003
【図２】
2018049754.tif 000004
【図３】
2018049754.tif 000005
【図４】
2018049754.tif 000006
【図５】
2018049754.tif 000007
【図６】
2018049754.tif 000008